【手続補正書】
【提出日】平成16年4月23日(2004.4.23)
【手続補正１】
【補正対象書類名】明細書
【補正対象項目名】全文
【補正方法】変更
【補正の内容】
【発明の名称】釘打機及びその釘送り装置
【特許請求の範囲】
【請求項１】針金で連結された針金連結釘又は帯状の可撓性材からなり連結方向に複数の逆止穴を有するシートで連結されたシート連結釘を使用可能な釘打機であって、釘が打ち出される射出口と、射出口を含み連結釘をガイドするテールカバーと、テールカバーに対向してテールカバーとともに連結釘が通過する釘通路を形成するドア部材と、連結釘を収納するマガジンと、釘通路に沿って往復移動可能にテールカバーに取り付けられ、釘を射出口に向かって送るフィーダと、釘通路に向かって一体として進退可能にドア部材に取り付けられ、釘軸方向に沿って離れて設けられ、連結釘の軸に係合して連結釘の後退移動を阻止する２個の可動逆止爪とを備えた釘打機において、
前記一対の可動逆止爪の上方の可動逆止爪の上面と下方の可動逆止爪の下面間の距離を前記シートの逆止穴の開口部寸法より大きくするとともに一対の可動逆止爪の上面間の距離をシートの逆止穴の上端とシートの下端面との距離より小さくしたことを特徴とする釘打機の釘送り装置。
【請求項２】針金で連結された針金連結釘又は帯状の可撓性材からなり連結方向に複数の逆止穴を有するシートで連結されたシート連結釘を使用可能な釘打機であって、
釘が打ち出される射出口と、射出口を含み連結釘をガイドするテールカバーと、
テールカバーに対向してテールカバーとともに連結釘が通過する釘通路を形成するドア部材と、連結釘を収納するマガジンと、釘通路に沿って往復移動可能にテールカバーに取り付けられ、釘を射出口に向かって送るフィーダと、釘通路に向かって一体として進退可能にドア部材に取り付けられ、釘軸方向に沿って離れて設けられ、連結釘の軸に係合して連結釘の後退移動を阻止する２個の可動逆止爪とを備え、前記一対の可動逆止爪の上方の可動逆止爪の上面と下方の可動逆止爪の下面間の距離を前記シートの逆止穴の開口部寸法より大きくするとともに一対の可動逆止爪の上面間の距離をシートの逆止穴の上端とシートの下端面との距離より小さくしたことを特徴とする釘打機。
【発明の詳細な説明】
【０００１】
【発明の属する技術分野】
本発明は釘を打ち込む釘打機及びその釘送り装置に関するものである。
【０００２】
【従来技術】
図２に従来の釘打機を示す。釘打機は、周知のごとく、図３に示す針金連結釘３、図４に示すシート連結釘６を選択的に使用できる。シート連結釘６は、帯状の例えばプラスチック等の可撓性材をコの字型に曲げ背面に連結方向に沿って複数の逆止穴５を設けたシート４により釘軸を挿入支持するものである。なお本明細書において、針金連結釘３、シート連結釘６を総称する場合には連結釘２として説明する。
【０００３】
釘打機は圧縮空気等を動力源とし、連結釘２が打ち出される射出口７と、連結釘２を収納するマガジン８と、マガジン８から射出口７へ連結釘２を送り出す給送部９と、射出口７から釘２を打ち出すためのシリンダ、ピストン等からなる出力部１０等から構成されている。給送部９は、射出口７を含むテールカバー１１と、テールカバー１１の図示しないヒンジ部を支点として回動し、対向するテールカバー１１と共に連結釘２が通過する釘通路を形成するドア部材１２と、釘通路に沿って往復移動可能にテールカバー１１に取り付けられ、連結釘２を射出口７へ送り込むフィーダ１３からなり、フィーダ１３はピストン、シリンダ機構等の往復駆動手段によって往復移動され、連結釘２の軸部を押して連結釘２を射出口７へ送る。ドア部材１２には、釘送り時フィーダ１３がマガジン８側へ後退する時に連結釘２が後退しないように逆止支持する逆止爪が取り付けられている。逆止爪は、後述するスプリング１８によって釘通路へ進退可能な可動逆止爪１４と、先端が釘通路側へ突出した固定逆止爪１５の２種類で構成されている。
【０００４】
上記した釘打機の動作を説明する。
【０００５】
マガジン８内に装填された連結釘２の先頭を引き出し、釘頭１６が釘頭ガイド溝１７を通過するようにして先頭の釘を射出口７へ装填し、ドア部材１２を閉じる。針金連結釘３を装填する場合、図５に示すごとく、可動逆止爪１４はドア部材１２内のスプリング１８によって釘頭１６下部へ位置するよう突出する。突出した可動逆止爪１４は、フィーダ１３がマガジン８側へ後退する時には釘軸部を支持して針金連結釘３が後退するのを防ぎ、フィーダ１３が前進する時には針金連結釘３によりドア部材１２内へ押し込められるため、針金連結釘３が前進する。シート連結釘６の場合には図６に示すごとく、可動逆止爪１４がシート４の背面に当接してドア部材１２内へ押し込められ、代って固定逆止爪１５がシート逆止穴５へ入り込む。固定逆止爪１５は、可動逆止爪１４同様に、フィーダ１３が後退する時にはシート４を保持してシート連結釘６が後退するのを防ぎ、フィーダ１３が前進する時にはシート４が変形し、固定逆止爪１５を乗り越えていくため、シート連結釘６が送られる。
【０００６】
【発明が解決しようとする課題】
上記した釘打機１において、シート連結釘６を装填する際、先頭の釘６は射出口７に装填され、釘頭１６は釘頭ガイド溝１７へ装填されるが、釘頭１６と釘頭ガイド溝１７の間には通常隙間Ｘがあるため、シート連結釘６装填時、釘軸方向にＸ分の釘装填位置のずれが発生することがある。シート連結釘６を隙間Ｘ分だけ上方へシフトしたままセットすると、図７に示すごとく、シート４がドア部材１２の凹部に入らずシート４の背面がドア部材１２に当接してドア部材１２を閉じることができなくなる恐れがある。また可動逆止爪１４がシート４背面に当たらず逆止穴５へ入り込んだ状態でドア部材１２を強引に閉じると、シート連結釘６はフィーダ１３によって固定されているため、シート連結釘６が可動逆止爪１４により射出口７側に移動させられ、シート連結釘６がシート４から外れて釘送り不良となる恐れがある。なお可動逆止爪１４は図５に示すように針金連結釘３の釘頭１６下部をガイドしているため、上面位置は釘頭ガイド溝１７の上面と同じ高さになっている。
【０００７】
本発明の目的は、上記した従来釘打機の欠点をなくし、シート連結釘のセット位置が多少ずれたとしても確実に送れるようにすることである。
【０００８】
【課題を解決するための手段】
上記目的は、一体となって進退し釘軸方向に離れた２個の可動逆止爪を設け、上方の可動逆止爪の上面と下方の可動逆止爪の下面間の距離を、前記シートの逆止穴の開口部寸法より大きくして２個の可動逆止爪が逆止穴に同時に入らないようにするとともに一対の可動逆止爪の上面間の距離を、シートの逆止穴の上端とシートの下端面との距離より小さくして下方の可動逆止爪がシート背面に当接させるようにすることにより達成される。
【０００９】
【発明の実施の形態】
図１、図８〜図１０に本発明の一実施形態を示す。スプリング１８により押され釘通路に向かって一体となって進退する２個の可動逆止爪１４、１９がドア部材１２に取り付けられている。可動逆止爪１４、１９は釘軸方向に沿って離れて設けられている。上方可動逆止爪１４の上面と下方可動逆止爪１９の下面との間の距離Ｅは、シート４の逆止穴５の開口部寸法Ｆより大きくなるように形成されている。このため２個の可動逆止爪１４、１９が逆止穴５に同時に入ることはない。また上方可動逆止爪１４の上面と下方可動逆止爪１９の上面との間の距離Ｃは、シート４の逆止穴５の上端とシートの下端面との距離寸法Ｄより小さくなるように形成されている。このため可動逆止爪１４、１９のいずれかがシート４の背面に当接するので他方の可動逆止爪が逆止穴５に入ることはない。
【００１０】
従って図１０に示すごとく、シート連結釘６が上方にずれてセットされたとしても可動逆止爪１４、１９がシート４の逆止穴５に入ることはなくなる。このためドア部材１２を強引に閉じたとしても、釘６がシート４から外れる恐れはなくなり、釘送り不良が発生することはなく、シート連結釘６を確実に送れるようになる。
【００１１】
【発明の効果】
以上のように本発明によれば、シート連結釘が上方にずれた位置に装填されたとしても、ドア部材を閉じる際に可動逆止爪がシート背面の開口部に入り込むことがなくなるので、シートを変形させたり、シートから釘が外れたりすることがなくなり、釘装填不良による釘送り不良の問題を解消できる。
【図面の簡単な説明】
【図１】本発明釘打機及びその釘送り装置の要部の一実施形態でドア部材を開けた状態を示す側面図。
【図２】従来の釘打機の一例でドア部材を開けた状態を示す側面図。
【図３】針金連結釘の一例を示す斜視図。
【図４】シート連結釘の一例を示す斜視図及び側面図。
【図５】針金連結釘が装填された状態を示す図２のＨ−Ｈ線断面図。
【図６】シート連結釘が装填された状態を示す図２のＨ−Ｈ線断面図。
【図７】シート連結釘が上方にずれて装填された状態を示す図２のＨ−Ｈ線断面図。
【図８】針金連結釘が装填された状態を示す図１のＧ−Ｇ線断面図。
【図９】シート連結釘が装填された状態を示す図１のＧ−Ｇ線断面図。
【図10】シート連結釘が上方にずれて装填された状態を示す図１のＧ−Ｇ線断面図。
【符号の説明】
１は釘打機、３は針金連結釘、４はシート、５は逆止穴、６はシート連結釘、７は射出口、１１は射出部、１２はドア部材、１３はフィーダ、１４、１９は可動逆止爪、１５は固定逆止爪である。


【手続補正２】
【補正対象書類名】図面
【補正対象項目名】図４
【補正方法】変更
【補正の内容】
【図４】
2001205576.tif 000001